(57)【特許請求の範囲】
【請求項１】
絞りと、前記絞り近傍に配置された第１の光学領域および第２の光学領域と、を有するレンズ光学系と、
前記レンズ光学系を通過した光が入射する、少なくとも複数の第１の画素と複数の第２の画素とを有する撮像素子と、
前記第１の光学領域および前記第２の光学領域にそれぞれ位置する第１の調光部と第２の調光部とを含む分割調光素子と、
前記分割調光素子の前記第１の調光部の透過率と前記第２の調光部の透過率とが互いに異なるように前記分割調光素子を制御する制御部と、
前記レンズ光学系と前記撮像素子との間に配置されたアレイ状光学素子であって、前記第１の光学領域を通過した光を前記複数の第１の画素に入射させ、前記第２の光学領域を通過した光を前記複数の第２の画素に入射させるアレイ状光学素子と、
前記制御部が前記分割調光素子を制御することによって、前記第１の調光部の透過率と前記第２の調光部の透過率とを互いに異ならせた状態において、前記複数の第１の画素に入射する光による信号と、前記複数の第２の画素に入射する光による信号とに基づき、ハイダイナミックレンジ合成画像を生成する信号処理部と、
を備えた撮像装置。
【請求項２】
前記撮像素子はモノクロ撮像素子である請求項１に記載の撮像装置。
【請求項３】
前記レンズ光学系は、像側テレセントリック光学系である請求項１または２に記載の撮像装置。
【請求項４】
前記アレイ状光学素子はレンチキュラレンズである請求項１から３のいずれかに記載の撮像装置。
【請求項５】
前記撮像素子において、前記複数の第１の画素および前記複数の第２の画素はそれぞれ第１の方向に複数配列されており、前記第１の方向と直交する第２の方向において、第１の方向に配列された複数の第１の画素および第１の方向に配列された複数の第２の画素が交互に配列され、撮像面を構成している請求項４に記載の撮像装置。
【請求項６】
前記レンズ光学系は、第３の光学領域と第４の光学領域とをさらに含み、
前記分割調光素子は、前記第３の領域に位置する第３の調光部および前記第４の領域に位置する第４の調光部とをさらに有する請求項１から３のいずれかに記載の撮像装置。
【請求項７】
前記アレイ状光学素子は、マイクロレンズアレイである請求項６に記載の撮像装置。
【請求項８】
前記分割調光素子は、少なくとも３つの透過部を含み、前記少なくとも３つの透過部のうち、隣接する２つは互いに異なる透過率を有しており、
前記制御部は、前記少なくとも３つの透過部のうち、任意の隣接する２つが前記第１の光学領域および前記第２の光学領域に位置するように、前記少なくとも３つの透過部を移動させる駆動機構を含む請求項１から３のいずれかに記載の撮像装置。
【請求項９】
前記分割調光素子は、
一対の偏光板と、
前記一対の偏光板に挟まれた共通透明電極および前記第１の光学領域および前記第２の
光学領域にそれぞれ位置する２つの分割透明電極と、
前記共通透明電極および前記２つの分割透明電極に挟まれた液晶層と、
を含み、
前記制御部は、前記２つの分割透明電極に異なる電圧を印加する請求項１から３のいずれかに記載の撮像装置。
【請求項１０】
前記電圧を変化させて複数回の撮影動作を行う請求項９に記載の撮像装置。
【請求項１１】
前記複数の第１の画素は、第１の分光透過率特性を有するフィルタを有する複数の第１Ａの画素と、第２の分光透過率特性を有するフィルタを有する複数の第２Ａの画素と、第３の分光透過率特性を有するフィルタを有する複数の第３Ａの画素と、第４の分光透過率特性を有するフィルタを有する複数の第４Ａの画素とを含み、
前記複数の第２の画素は、前記第１の分光透過率特性を有するフィルタを有する複数の第１Ｂの画素と、前記第２の分光透過率特性を有するフィルタを有する複数の第２Ｂの画素と、前記第３の分光透過率特性を有するフィルタを有する複数の第３Ｂの画素と、前記第４の分光透過率特性を有するフィルタを有する複数の第４Ｂの画素とを含み、
前記アレイ状光学素子は、
前記第１の光学領域を通過した光を前記複数の第１Ａの画素と前記複数の第３Ａの画素とに入射させ、前記第２の領域を通過した光を前記複数の第２Ｂの画素と前記複数の第４Ｂの画素とに入射させる複数の第１の光学要素と、
前記第１の領域を通過した光を前記複数の第２Ａの画素と前記複数の第４Ａの画素とに入射させ、前記第２の領域を通過した光を前記複数の第１Ｂの画素と前記複数の第３Ｂの画素とに入射させる複数の第２の光学要素と
を含む請求項１から３のいずれかに記載の撮像装置。
【請求項１２】
前記撮像素子の撮像面において、各第１Ａの画素、第２Ｂの画素、第３Ａの画素および第４Ｂの画素は互いに隣接しており、四角形の頂点の位置に配置されている請求項１１に記載の撮像装置。
【請求項１３】
前記第１の分光透過率特性を有するフィルタおよび前記第２の分光透過率特性を有するフィルタは、緑色波長帯域の光を透過するフィルタであり、
前記第３の分光透過率特性を有するフィルタは、赤色波長帯域の光を透過するフィルタであり、
前記第４の分光透過率特性を有するフィルタは、青色波長帯域の光を透過するフィルタであり、
各第１Ａの画素、第２Ｂの画素、第３Ａの画素および第４Ｂの画素は、ベイヤー配列で配置されている請求項１２に記載の撮像装置。
【請求項１４】
前記複数の第１および第２の光学要素は、それぞれレンチキュラレンズである請求項１１から１３のいずれかに記載の撮像装置。
【請求項１５】
絞りと、前記絞り近傍に配置された第１の光学領域および第２の光学領域を有するレンズ光学系と、
前記レンズ光学系を通過した光が入射する、第１の分光透過率特性を有するフィルタを有する複数の第１の画素と、第２の分光透過率特性を有するフィルタを有する複数の第２の画素と、第３の分光透過率特性を有するフィルタを有する複数の第３の画素と、第４の分光透過率特性を有するフィルタを有する複数の第４の画素を含み、第１の方向に各第１の画素および第２の画素が交互に配列された第１の行と、前記第１の方向に各第３の画素および前記第４の画素が交互に第２の行とが第２の方向に交互に配列され、撮像面を構成している撮像素子と、
前記第１の光学領域および前記第２の光学領域にそれぞれ位置する第１の調光部と第２の調光部とを含む分割調光素子と、
前記分割調光素子の前記第１の調光部の透過率と前記第２の調光部の透過率とが互いに異なるように前記分割調光素子を制御する制御部と、
前記レンズ光学系と前記撮像素子との間に配置されたアレイ状光学素子と、
前記制御部が前記分割調光素子を制御することによって、前記第１の調光部の透過率と前記第２の調光部の透過率とを互いに異ならせた状態において、前記第１の光学領域に対応した画素に入射する光による信号と、前記第２の光学領域に対応した画素に入射する光による信号とに基づき、ハイダイナミックレンジ合成画像を生成する信号処理部と、
を備え、
前記レンズ光学系において、前記第１の光学領域および前記第２の光学領域は、前記第２の方向に配列されており、
前記アレイ状光学素子は、前記撮像面において、隣接して前記第１の方向および前記第２の方向に配列された前記第１の画素、第２の画素、第３の画素および第４の画素を含む４つの画素ごとに前記レンズ光学系を透過した光を入射させる複数の光学要素を含み、
前記複数の光学要素は、前記第２の方向に１次元に配列された複数の列を構成し、前記第１の方向に隣接する２つの列において、一方の列の各光学要素は、他方の列の対応する光学要素に対して、前記光学要素の配列周期の１／２の長さだけ前記第２の方向にシフトしている、撮像装置。
【請求項１６】
請求項１から１５のいずれかに記載の撮像装置と、
画像表示部と、
シャッターボタンと、
画像保存部と
を備えたカメラ。
【発明の詳細な説明】
【技術分野】
【０００１】
本願は撮像装置に関し、特に幅広いダイナミックレンジを持つ画像を取得することのできる撮像装置に関する。
【背景技術】
【０００２】
近年、固体撮像素子を用いたデジタルスチルカメラが普及し広く用いられている。一般にこれらのデジタルスチルカメラによる撮影は、主要な被写体について露光条件を調節することにより行われる。撮影シーンの明暗差が大きい場合、得られた画像の暗部に黒つぶれが発生したり、明部に白とびが発生したりすることがある。【０００３】
しかし、デジタルカメラの場合、取得した画像を元に画像処理を行うことが可能である。例えば、露光条件を変えて複数枚の画像を撮影し、カメラ本体内において画像処理を行い、複数枚の画像を合成することによって、黒つぶれや白とびが抑制された、ダイナミックレンジの広い画像を生成することができる。このような機能はハイダイナミックレンジ（ＨＤＲ）合成と呼ばれ、この機能を搭載したカメラが市販されている。【０００４】
固体撮像素子におけるダイナミックレンジを拡大する方法として、特許文献１は、感度の異なる一対のフォトダイオードを一つの画素として配置し、一対のフォトダイオードの出力を合成処理する技術を開示している。特許文献２は、受光面積の異なる複数の光電変換部を一つの画素単位として用いる技術を開示している。【０００５】
特許文献３は、複数のレンズ光学系からなる複眼光学系を用いて、光学系ごとに異なる露光条件で撮影し、ＨＤＲ合成を行う技術を開示している。
【先行技術文献】
【特許文献】
【０００６】
【特許文献１】特許第４０１８８２０号
【特許文献２】特開２０１１−１１４６８０
【特許文献３】特開２００２−１７１４３０
【発明の概要】
【発明が解決しようとする課題】
【０００７】
しかしながら、上述した従来の技術では、より簡単な構成、あるいは、一般的な構成によって、ハイダイナミックレンジ合成用の画像を取得できる撮像装置が求められていた。【０００８】
本願の、限定的ではない例示的なある実施形態は、簡単な構成、あるいは、一般的な構成でハイダイナミックレンジ合成用の画像を取得できる撮像装置を提供する。
【課題を解決するための手段】
【０００９】
本発明の撮像装置は、第１の光学領域および第２の光学領域を有するレンズ光学系と、前記レンズ光学系を通過した光が入射する、少なくとも複数の第１の画素と複数の第２の画素とを有する撮像素子と、第１の光学領域および第２の光学領域にそれぞれ位置する第１の調光部および第２の調光部とを含む分割調光素子と、前記分割調光素子の第１の調光部の透過率および前記第２の調光部の透過率の少なくとも一方を変更する制御部と、前記レンズ光学系と前記撮像素子との間に配置されたアレイ状光学素子であって、第１の光学領域を通過した光を前記複数の第１の画素に入射させ、前記第２の光学領域を通過した光を前記複数の第２の画素に入射させるアレイ状光学素子とを備える。
【発明の効果】
【００１０】
本発明の一態様にかかる撮像装置によれば、単一のレンズ光学系を用いながら、ハイダイナミックレンジ合成用の異なる露光条件で撮影された複数の画像を取得することができる。このため、好適にハイダイナミックレンジ合成画像を得ることが可能となる。
【図面の簡単な説明】
【００１１】
【図１】本発明による撮像装置の第１の実施形態の構成を示す図である。
【図２】（ａ）および（ｂ）は、第１の実施形態における、分割調光素子の断面図および正面図である。
【図３】第１の実施形態におけるアレイ状光学素子の斜視図である。
【図４】第１の実施形態におけるアレイ状光学素子および撮像素子近傍の模式的な拡大断面図である。
【図５】第２の実施形態における分割調光素子の正面図である。
【図６】第２の実施形態におけるアレイ状光学素子および撮像素子近傍の模式的な斜視図である。
【図７】第２の実施形態における撮像面に入射する光線を説明する図である。
【図８】第３の実施形態の構成を示す図である。
【図９】（ａ）は第３の実施形態における分割調光素子の正面図であり、（ｂ）は分割調光素子の他の例を示す正面図である。
【図１０】第４の実施形態におけるアレイ状光学素子の斜視図である。
【図１１】（ａ）および（ｂ）は、第４の実施形態における撮像素子への光線の入射を説明する図である。
【図１２】（ａ）および（ｂ）は、本発明によるデジタルカメラの実施形態を示す正面図および背面図である。
【図１３】第５の実施形態の構成を示すブロック図である。
【発明を実施するための形態】
【００１２】
本願発明者は従来の撮像装置によるハイダイナミックレンジ合成画像の生成について詳細に検討した。検討によれば、露光条件を変えて複数枚の画像を撮影し、ダイナミックレンジの広い画像を生成する技術は、異なる時間に画像を取得するため、動きのある被写体の撮影や動画の撮影に用いることができない。また、静止物であってもカメラを手持ちで撮影する場合には、複数枚を撮影している間の手振れの影響で、取得された画像間において被写体がずれて撮影される場合がある。このような画像に基づき、ＨＤＲ合成するのは計算量が増えてしまうことがあるなど、良好に撮影できる条件が限定される。
【００１３】
また、特許文献１および特許文献２に開示された技術は、専用の撮像素子を必要とするため、初期コストが増大する。
【００１４】
特許文献３の技術は、撮像領域の前方にレンズアレイとしてのレンズ光学系を構成しているため、単一のレンズ光学系の有効径は撮像領域の面積の半分あるいは１／４未満でなければならい。このため、光学設計の自由度が小さくなり、画像を取得する目的としては、十分な解像度の光学系を構成するのは困難である。
【００１５】
このような課題に鑑み、本願発明者は、ハイダイナミックレンジ合成用の、異なる露光条件で撮影された複数の画像を取得することができる新規な撮像装置を想到した。
【００１６】
本発明の一態様である撮像装置は、第１の光学領域および第２の光学領域を有するレンズ光学系と、前記レンズ光学系を通過した光が入射する、少なくとも複数の第１の画素と複数の第２の画素とを有する撮像素子と、第１の光学領域および第２の光学領域にそれぞれ位置する第１の調光部および第２の調光部とを含む分割調光素子と、前記分割調光素子の第１の調光部の透過率および前記第２の調光部の透過率の少なくとも一方を変更する制御部と、前記レンズ光学系と前記撮像素子との間に配置されたアレイ状光学素子であって、第１の光学領域を通過した光を前記複数の第１の画素に入射させ、前記第２の光学領域を通過した光を前記複数の第２の画素に入射させるアレイ状光学素子とを備える。
【００１７】
前記撮像装置は、前記複数の第１の画素に入射光による信号と、前記複数の第２の画素に入射光による信号とに基づき、ハイダイナミックレンジ合成画像を生成する信号処理部をさらに備えていてもよい。
【００１８】
前記撮像素子はモノクロ撮像素子であってもよい。
【００１９】
前記レンズ光学系は、像側テレセントリック光学系であってもよい。
【００２０】
前記アレイ状光学素子はレンチキュラレンズであってもよい。
【００２１】
前記撮像素子において、前記複数の第１の画素および前記複数の第２の画素はそれぞれ第１の方向に複数配列されており、前記第１の方向と直交する第２の方向において、第１の方向に配列された複数の第１の画素および第１の方向に配列された複数の第２の画素が交互に配列され、撮像面を構成していてもよい。
【００２２】
前記レンズ光学系は、第３の光学領域と第４の光学領域とをさらに含み、前記分割調光素子は、前記第３の領域に位置する第３の調光部および前記第４の領域に位置する第４の調光部とをさらに有していてもよい。
【００２３】
前記アレイ状光学素子は、マイクロレンズアレイであってもよい。
【００２４】
前記分割調光素子は、少なくとも３つの透過部を含み、前記少なくとも３つの透過部のうち、隣接する２つは互いに異なる透過率を有しており、前記制御部は、前記少なくとも３つの透過部のうち、任意の隣接する２つが前記第１の光学領域および前記第２の光学領域に位置するように、前記少なくとも３つの透過部を移動させる駆動機構を含んでいてもよい。
【００２５】
前記分割調光素子は、一対の偏光板と、前記一対の偏光板に挟まれた共通透明電極および前記第１の光学領域および前記第２の光学領域にそれぞれ位置する２つの分割透明電極と、前記共通透明電極および前記２つの分割透明電極に挟まれた液晶層とを含み、前記制御部は、前記２つの分割透明電極に異なる電圧を印加してもよい。
【００２６】
前記撮像装置は前記電圧を変化させて複数回の撮影動作を行ってもよい。
【００２７】
本発明の他の一態様である撮像装置は、前記複数の第１の画素は、第１の分光透過率特性を有するフィルタを有する複数の第１Ａの画素と、第２の分光透過率特性を有するフィルタを有する複数の第２Ａの画素と、第３の分光透過率特性を有するフィルタを有する複数の第３Ａの画素と、第４の分光透過率特性を有するフィルタを有する複数の第４Ａの画素とを含み、前記複数の第２の画素は、前記第１の分光透過率特性を有するフィルタを有する複数の第１Ｂの画素と、前記第２の分光透過率特性を有するフィルタを有する複数の第２Ｂの画素と、前記第３の分光透過率特性を有するフィルタを有する複数の第３Ｂの画素と、前記第４の分光透過率特性を有するフィルタを有する複数の第４Ｂの画素とを含み、前記アレイ状光学素子は、前記第１の光学領域を通過した光を前記複数の第１Ａの画素と前記複数の第３Ａの画素とに入射させ、前記第２の領域を通過した光を前記複数の第２Ｂの画素と前記複数の第４Ｂの画素とに入射させる複数の第１の光学要素と、前記第１の領域を通過した光を前記複数の第２Ａの画素と前記複数の第４Ａの画素とに入射させ、前記第２の領域を通過した光を前記複数の第１Ｂの画素と前記複数の第３Ｂの画素とに入射させる複数の第２の光学要素とを含む。
【００２８】
前記撮像素子の撮像面において、各第１Ａの画素、第２Ｂの画素、第３Ａの画素および第４Ｂの画素は互いに隣接しており、四角形の頂点の位置に配置されていてもよい。
【００２９】
前記第１の分光透過率特性を有するフィルタおよび前記第２の分光透過率特性を有するフィルタは、緑色波長帯域の光を透過するフィルタであり、前記第３の分光透過率特性を有するフィルタは、赤色波長帯域の光を透過するフィルタであり、前記第４の分光透過率特性を有するフィルタは、青色波長帯域の光を透過するフィルタであり、各第１Ａの画素、第２Ｂの画素、第３Ａの画素および第４Ｂの画素は、ベイヤー配列で配置されていてもよい。
【００３０】
前記複数の第１および第２の光学要素は、それぞれレンチキュラレンズであってもよい。
【００３１】
前記レンズ光学系は絞りをさらに含み、前記第１の光学領域および前記第２の光学領域は前記絞り近傍に位置していてもよい。
【００３２】
本発明の他の一態様である撮像装置は、第１の光学領域および第２の光学領域を有するレンズ光学系と、前記レンズ光学系を通過した光が入射する、第１の分光透過率特性を有するフィルタを有する複数の第１の画素と、第２の分光透過率特性を有するフィルタを有する複数の第２の画素と、第３の分光透過率特性を有するフィルタを有する複数の第３の画素と、第４の分光透過率特性を有するフィルタを有する複数の第４の画素を含み、第１の方向に各第１の画素および第２の画素が交互に配列された第１の行と、前記第１の方向に各第３の画素および前記第４の画素が交互に第２の行とが第２の方向に交互に配列され、撮像面を構成している撮像素子と、第１の光学領域および第２の光学領域にそれぞれ位置する第１の調光部および第２の調光部とを含む分割調光素子と、前記分割調光素子の第１の調光部の透過率および前記第２の調光部の透過率の少なくとも一方を変更する制御部と、前記レンズ光学系と前記撮像素子との間に配置されたアレイ状光学素子とを備え、前記レンズ光学系において、前記第１の光学領域および前記第２の光学領域は、前記第２の方向に配列されており、前記アレイ状光学素子は、前記撮像面において、隣接して前記第１の方向および前記第２の方向に配列された前記第１の画素、第２の画素、第３の画素および第４の画素を含む４つの画素ごとに前記レンズ光学系を透過した光を入射させる複数の光学要素を含み、前記複数の光学要素は、前記第２の方向に１次元に配列された複数の列を構成し、前記第１の方向に隣接する２つの列において、一方の列の各光学要素は、他方の列の対応する光学要素に対して、前記光学要素の配列周期の１／２の長さだけ前記第２の方向にシフトしている。
【００３３】
本発明の一態様であるカメラは、上記いずれかに記載の撮像装置と、画像表示部と、シャッターボタンと、画像保存部とを備える。
【００３４】
以下、図面を参照しながら、本発明による撮像装置の実施形態を説明する。
【００３５】
（第１の実施形態）
図１は本発明による撮像装置の第１の実施形態を示す模式図である。本実施形態の撮像装置Ａは、Ｖ０を光軸とするレンズ光学系Ｌと、レンズ光学系Ｌの焦点位置近傍に配置されたアレイ状光学素子Ｋと、撮像素子Ｎと、信号処理部Ｃと、分割調光素子Ｗと、制御部Ｖとを備える。
【００３６】
本実施形態では、レンズ光学系Ｌは、絞りＳと絞りＳを透過した光を撮像素子上に結像する対物レンズＬ１とを含む。また、レンズ光学系Ｌは第１の光学領域Ｄ１および第２の光学領域Ｄ２を含む。第１の光学領域Ｄ１および第２の光学領域Ｄ２は絞りＳ近傍に位置している。第１の光学領域Ｄ１および第２の光学領域Ｄ２を合わせた領域を瞳領域ともいう。
【００３７】
分割調光素子Ｗは液晶素子であり、第１の光学領域Ｄ１に位置する第１の調光部Ｗ１および第２の光学領域Ｄ２に位置する第２の調光部Ｗ２を含む。
【００３８】
図２（ａ）および（ｂ）は分割調光素子Ｗの構造を概略的に示す断面図および正面図である。分割調光素子Ｗは、共通透明電極ＥＣと、液晶層ＬＣと、分割透明電極ＥＤ１、ＥＤ２と、偏光板ＰＬ１、ＰＬ２とを含む。
【００３９】
共通透明電極ＥＣは、ガラス基板Ｈ１の一方の面に設けられており、その上を配向膜Ｔ１が覆っている。ガラス基板Ｈ１の他の面には偏光板ＰＬ１が配置されている。これによって、基板ＳＢ１が構成されている。また、分割透明電極ＥＤ１、ＥＤ２は、ガラス基板Ｈ２の一方の面に設けられて、その上を配向膜Ｔ２が覆っている。ガラス基板Ｈ２の他の面には偏光板ＰＬ２が配置されている。偏光板ＰＬ１および偏光板ＰＬ２はそれぞれ偏光軸を有し、偏光軸の方向に振動する光を透過する。例えば、配向膜Ｔ１および配向膜Ｔ２の配向方向は偏光板ＰＬ１、偏光板ＰＬ２の偏光軸の方向と一致している。基板ＳＢ１と基板ＳＢ２とは、例えば、偏光板ＰＬ１の偏光軸と偏光板ＰＬ２の偏光軸とが互いに直交するようにシール材Ｊによって張り合わせられ、シール材、基板ＳＢ１および基板ＳＢ２によって形成される空間に液晶層ＬＣが保持される。
【００４０】
図２（ｂ）に示すように、分割透明電極ＥＤ１、ＥＤ２は、境界がレンズ光学系Ｌの光軸Ｖ０を通る水平方向と一致するように配置される。共通透明電極ＥＣ、分割透明電極ＥＤ１およびこれらに挟まれる液晶層ＬＣが第１の光学領域Ｄ１に位置する第１の調光部Ｗ１を構成し、共通透明電極ＥＣ、分割透明電極ＥＤ２およびこれらに挟まれる液晶層ＬＣが第２の光学領域Ｄ２に位置する第２の調光部Ｗ２を構成している。
【００４１】
液晶層ＬＣは旋光性を有しており、共通透明電極ＥＣと分割透明電極ＥＤ１、ＥＤ２との間に印加される電圧に応じた旋光度を示す。したがって、分割透明電極ＥＤ１と分割透明電極ＥＤ２とに印加する電圧を異ならせると、共通透明電極ＥＣと、分割透明電極ＥＤ１とに挟まれた液晶層ＬＣと、共通透明電極ＥＣと分割透明電極ＥＤ２とに挟まれた液晶層ＬＣとは、異なる旋光度を示す。
【００４２】
液晶素子（分割調光素子Ｗ）に入射した光線のうち、偏光板ＰＬ１の偏光軸と平行な方向に振動する成分のみが液晶層ＬＣを透過する。液晶層ＬＣに入射した光線は、液晶層ＬＣの旋光性により偏光方向が回転し、偏光板ＰＬ２に入射する。偏光板ＰＬ２は、液晶層ＬＣを透過した光のうち偏光板ＰＬ２の偏光軸と平行な方向に振動する成分のみを透過する。
【００４３】
制御部Ｖから印加する電圧の値を変え、液晶層ＬＣの旋光度を変化させると、偏光板ＰＬ１を透過した光のうち、偏光板ＰＬ２の偏光軸と平行な成分の割合を変化させることができる。このため、液晶素子（分割調光素子Ｗ）の第１の調光部Ｗ１および第２の調光部Ｗ２の透過率を、制御部Ｖから印加する電圧によって独立に変化させることができる。本実施形態では、制御部Ｖが分割透明電極ＥＤ１、ＥＤ２に異なる電圧を印加することによって、第１の調光部Ｗ１の透過率が第２の調光部Ｗ２の透過率と異なるように液晶素子（分割調光素子Ｗ）を制御する。
【００４４】
例えば、液晶層ＬＣが、偏光軸を９０度旋回させる旋光性を有するように分割透明電極ＥＤ１、ＥＤ２に電圧が印加される場合、偏光板ＰＬ１の偏光軸と偏光板ＰＬ２の偏光軸とが互いに直交しているため、偏光板ＰＬ１を透過した光のすべてが偏光板ＰＬ２を透過する。この時、偏光板ＰＬ１を透過した光に対する偏光板ＰＬ２を透過する光の割合は、理想的には１００％である。また、液晶層ＬＣが、偏光軸を０度または１８０度旋回させる旋光性を有するように分割透明電極ＥＤ１、ＥＤ２に電圧が印加される場合、偏光板ＰＬ１を透過した光のすべては偏光板ＰＬ２を透過できない。この時、偏光板ＰＬ１を透過した光に対する偏光板ＰＬ２を透過する光の割合は、理想的には０％である。これらの間の角度で偏光軸が旋回する場合、偏光板ＰＬ１を透過した光に対する偏光板ＰＬ２を透過する光の割合は、０％〜１００％の間の値となる。
【００４５】
液晶素子（分割調光素子Ｗ）の第１の調光部Ｗ２および第２の調光部Ｗ２における実際の透過率は、偏光板ＰＬ１を透過する光の割合および液晶素子（分割調光素子Ｗ）を構成する要素における光の吸収を考慮した値である。
【００４６】
図１に示すように、絞りＳに入射する光のうち、光線Ｂ１は第１の光学領域Ｄ１に位置する分割調光素子Ｗの第１の調光部Ｗ１に入射し、光線Ｂ２は第１の光学領域Ｄ１に位置する分割調光素子Ｗの第２の調光部Ｗ２に入射する。第１の調光部Ｗ１および第２の調光部Ｗ２の透過率が異なるため、分割調光素子Ｗを透過することにより、光線Ｂ１および光線Ｂ２の光量（光線の強度）は異なる。光線Ｂ１および光線Ｂ２は対物レンズＬ１によって、収束させられ、アレイ状光学素子Ｋに入射する。
【００４７】
図３はアレイ状光学素子Ｋの斜視図である。アレイ状光学素子Ｋは、レンズ面をそれぞれ有する複数の光学要素Ｍを含む。本実施の形態においては、各光学要素Ｍのレンズ面シリンドリカル面である。アレイ状光学素子Ｋにおいて、シリンドリカル面が水平方向に伸びるように配置され、複数の光学要素Ｍは垂直方向に配列される。これによって、複数の光学要素Ｍがレンチキュラレンズを構成している。
【００４８】
図４は図１に示したアレイ状光学素子Ｋおよび撮像素子Ｎの拡大図である。レンチキュラレンズであるアレイ状光学素子Ｋの光学要素Ｍが形成された面を撮像素子Ｎ側に向けて配置されている。図１に示したとおり、アレイ状光学素子Ｋはレンズ光学系Ｌの焦点位置近傍に配置されており、撮像素子Ｎからは所定の距離だけ離れた位置に配置している。
【００４９】
撮像素子Ｎは、撮像面Ｎｉに配列された複数の第１の画素Ｐ１および複数の第２の画素Ｐ２を含む。複数の第１の画素Ｐ１および複数の第２の画素Ｐ２はそれぞれ水平方向（第１の方向）に複数配列されており、図４に示すように、垂直方向（第２の方向）において、第１の画素Ｐ１および第２の画素Ｐ２が交互に配列されている。
【００５０】
本実施の形態において、複数の第１の画素Ｐ１および複数の第２の画素Ｐ２は本実施の形態ではいずれも撮像面Ｎｉにおいて同じ形状を有している。例えば、複数の第１の画素Ｐ１および複数の第２の画素Ｐ２は同じ矩形形状を有しており、面積も互いに等しい。
【００５１】
撮像素子Ｎは、各画素の表面を覆うように撮像面Ｎｉに設けられた複数のマイクロレンズＭｓを含んでいてもよい。アレイ状光学素子Ｋの配置位置は対物レンズＬ１の焦点を基準にして決定される。アレイ状光学素子Ｋのシリンドリカル面の垂直方向の周期は、撮像面Ｎｉに形成されている画素の２画素分に相当する周期と一致する。
【００５２】
図４に示すように、アレイ状光学素子Ｋの隣接する２つのシリンドリカル面の境界位置と撮像素子Ｎの隣接する２つのマイクロレンズＭｓの境界の位置とは水平方向において一致している。つまり、アレイ状光学素子Ｋの光学要素Ｍの１つが撮像面Ｎｉ上における２行の画素に対応するように配置されている。光学要素Ｍは、光線の入射角に応じて射出方向を振り分ける機能を有する。具体的には、第１の光学領域Ｄ１を透過した光線Ｂ１の大部分を撮像面Ｎｉ上の第１の画素Ｐ１に入射させ、第２の光学領域Ｄ２を透過した光線Ｂ２の大部分を撮像面Ｎｉ上の第２の画素Ｐ２に入射させる。これはアレイ状光学素子Ｋとして用いるレンチキュラレンズの屈折率および光学要素Ｍの曲率半径、撮像面Ｎｉからの距離などを調節することで実現することができる。
【００５３】
撮像素子Ｎは、入射光を光電変換し、画像信号Ｑ０を信号処理部Ｃへ出力する。信号処理部Ｃは、画像信号Ｑ０から、第１の画素Ｐ１による画像信号Ｑ１と、第２の画素Ｐ２による画像信号Ｑ２とを生成する。
【００５４】
画像信号Ｑ１は、第１の光学領域Ｄ１を透過した光線により生成された画像を構成し、第２の画像信号Ｑ２は第２の光学領域Ｄ２を透過した光線により生成された画像を構成する。上述した理由から、第１の光学領域Ｄ１および第２の光学領域Ｄ２に位置する第１の調光部Ｗ１および第２の調光部Ｗ２の透過率は互いに異なる。このため、画像信号Ｑ１による画像および画像信号Ｑ２による画像は、異なる露光条件で撮影されていることになる。露光条件の異なる２枚の画像信号を用いて、種々の公知の画像処理を行うことにより、ハイダイナミックレンジ合成を行うことができる。
【００５５】
このようにして得られた２つ画像は、単一のレンズ光学系によって一度に撮影されたものである。したがって、同じ被写体が実質的に同じ時刻に同じ角度から撮影されており、露光条件が異なることを除けば、２つの画像に差異はない。また、２つの画像の露光条件は、絞り開口の面積を異ならせずに、光線の透過率で調節することにより異ならせているため、２つの画像の解像度は同一であり、好適に、ハイダイナミックレンジ合成を行うことができる。
【００５６】
このように本実施形態によれば、分割透明電極ＥＤ１および分割透明電極ＥＤ２に印加する電圧を調節することによって、第１の光学領域Ｄ１および第２の光学領域Ｄ２の領域の光透過率を変更できるため、撮影環境に応じて取得する画像の露光条件を適宜調節することが可能となる。
【００５７】
また、機械的な駆動部を用いることなく分割調光素子の透過率を調整することが可能であるため、高速で安定した調光動作を実現できる。よって、所定の露光条件で撮影した後、短い時間でさらに異なる露光条件で撮影することも可能である。例えば、生体を、３以上の異なる露光条件で撮影したい場合、短い間隔で複数回、撮影を行うことにより、撮影回数×２の画像を取得することができる。
【００５８】
なお、本実施形態のレンズ光学系Ｌは像側テレセントリック光学系であってもよい。これにより、異なる画角で入射する光線の主光線をアレイ状光学素子に対して０度に近い角度で入射させることができる。よって、撮像素子の全域にわたって、クロストーク（第１の画素Ｐ１へ入射すべき光が第２の画素Ｐ２へ入射したり、第２の画素Ｐ２へ入射すべき光が第１の画素Ｐ１へ入射したりすること）を抑制することが可能となる。
【００５９】
絞りＳは全ての画角の光束が通過する領域である。従って、絞りＳの近傍に透過率特性を制御する光学特性を有する面を挿入することにより、全ての画角の光束の透過率偏光特性を同様に制御することができる。すなわち、本実施形態では、分割調光素子Ｗは、絞りＳの近傍に設けられていてもよい。絞り近傍に位置する光学領域Ｄ１、Ｄ２に分割調光素子Ｗを配置することによって、領域の分割数に応じた透過率特性を光束に与えることができる。
【００６０】
図１においては、絞りＳを通過した光が直接（他の光学部材を介することなく）、分割調光素子Ｗに入射する位置に設けられている。分割調光素子Ｗは、絞りＳよりも被写体側に設けられていてもよい。この場合、分割調光素子Ｗを通過した光が、直接（他の光学部材を介することなく）、絞りＳに入射してもよい。像側テレセントリック光学系の場合、光学系の焦点における光線の入射角は、絞りＳを通過する光線の位置によって一義的に決定される。また、アレイ状光学素子Ｋは、光線の入射角に応じて射出方向を振り分ける機能を有する。そのため、絞りＳの近傍で分割された光学領域Ｄ１、Ｄ２に対応するように、撮像面Ｎｉ上の画素に光束を振り分けることができる。
【００６１】
なお、像側非テレセントリック光学系の場合、光学系の焦点における光線の入射角は、絞りＳを通過する光線の位置と画角によって一義的に決定される。
【００６２】
（第２の実施形態）
本発明による撮像装置の第２の実施形態を説明する。本実施形態の撮像装置は、レンズ光学系が、第１から第４の光学領域を含み、分割調光素子を４つの調光部を含む点、および、アレイ状光学素子としてマイクロレンズを含む点で第１の実施形態の撮像装置と異なる。このため、主としてこれらの第１の実施形態と異なる点を説明する。
【００６３】
本実施形態では、レンズ光学系Ｌは、第１の光学領域と、第２の光学領域と、第３の光学領域と、第４の光学領域とを含む。図５は、この４つの光学領域に配置される分割調光素子Ｗの分割透明電極の一例を示している。図５では、分割調光素子Ｗを物体側から見ている。分割調光素子Ｗは、第１の光学領域Ｄ１、第２の光学領域Ｄ２、第３の光学領域Ｄ３、第４の光学領域Ｄ４にそれぞれ位置する第１の調光部Ｗ１、第２の調光部Ｗ２、第３の調光部Ｗ３、第４の調光部Ｗ４を含む。第１の調光部Ｗ１、第２の調光部Ｗ２、第３の調光部Ｗ３、第４の調光部Ｗ４はそれぞれ分割透明電極ＥＤ１、分割透明電極ＥＤ２、分割透明電極ＥＤ３、分割透明電極ＥＤ４を含んでいる。制御部Ｖは分割透明電極ＥＤ１〜ＥＤ４への印加電圧を調節して、光学領域に配置される調光部の光透過率を異ならせている。
【００６４】
第１の光学領域Ｄ１と第２の光学領域Ｄ２との境界、および、第３の光学領域Ｄ３と第４の光学領域Ｄ４との境界は、例えば、レンズ光学系Ｌの光軸Ｖ０を含む撮像装置の水平方向と平行な平面上に位置する。また、第１の光学領域Ｄ１と第４の光学領域Ｄ４との境界、および、第２の光学領域Ｄ２と第４の光学領域Ｄ４との境界は、例えば、レンズ光学系Ｌの光軸Ｖ０を含む撮像装置の垂直方向と平行な平面上に位置する。
【００６５】
図６は、アレイ状光学素子Ｋおよび撮像素子Ｎの一部を示す切り欠き斜視図である。本実施の形態では、アレイ状光学素子Ｋの光学要素Ｍは、マイクロレンズであり、レンズ面は球面である。光学要素Ｍは水平方向および垂直方向に周期的に配置されたており、マイクロレンズアレイを構成している。撮像素子Ｎはアレイ状光学素子Ｋに対向して配置され、撮像素子Ｎの撮像面Ｎｉ上の画素にはそれぞれマイクロレンズＭｓが設けられている。アレイ状光学素子Ｋの光学要素Ｍの周期は、水平方向および垂直方向のいずれにおいても、撮像素子ＮのマイクロレンズＭｓの周期の２倍である。このため、アレイ状光学素子Ｋを構成するマイクロレンズアレイの一つの光学要素Ｍに対して、撮像面Ｎｉの４つの画素が対応する。
【００６６】
図７は、撮像素子Ｎの撮像面に配列された画素と、レンズ光学系Ｌの４つの光学領域を透過した光線との関係を示している。撮像素子Ｎは、撮像面Ｎｉに配列された、複数の第１の画素Ｐ１、複数の第２の画素Ｐ２、複数の第３の画素Ｐ３、複数の第４の画素Ｐ４を含む。図７に示すように、撮像面Ｎｉにおいて、第２の画素Ｐ２と第３の画素Ｐ３とは水平方向に交互に配置され、第１の画素Ｐ１と第４の画素Ｐ４とは水平方向に交互に配置されている。第２の画素Ｐ２および第３の画素Ｐ３が配列された行と、第１の画素Ｐ１および第４の画素Ｐ４が配列された行とは、第１の画素Ｐ１が第２の画素Ｐ２に垂直方向に隣接するように、交互に配列されている。このため、第１の画素Ｐ１、第２の画素Ｐ２、第３の画素Ｐ３、第４の画素Ｐ４が行および列方向に隣接して配置され、マイクロレンズアレイの一つの光学要素Ｍに対応する。
【００６７】
第１の光学領域Ｄ１の第１の調光部Ｗ１を透過した光線は、レンズ光学系Ｌによって収束し、アレイ状光学素子Ｋの光学要素Ｍによって、第１の画素Ｐ１に入射する。同様に、第２の光学領域Ｄ２の第２の調光部Ｗ２を透過した光線、第３の光学領域Ｄ３の第３の調光部Ｗ３を透過した光線、第４の光学領域Ｄ４の第４の調光部Ｗ４を透過した光線はそれぞれ第２の画素Ｐ２、第３の画素Ｐ３、第４の画素Ｐ４に入射する。つまり、各光学領域を透過した光線は、撮像面Ｎｉ上において、水平方向および垂直方向に、１つおきに位置する同じ画素に入射する。
【００６８】
撮像素子Ｎは、入射光を画素ごとに光電変換し、得られた信号を信号処理部Ｃへ出力する。信号処理部Ｃは、第１の画素Ｐ１、第２の画素Ｐ２、第３の画素Ｐ３、第４の画素Ｐ４から得られた信号をそれぞれ第１の画素Ｐ１、第２の画素Ｐ２、第３の画素Ｐ３、第４の画素Ｐ４ごとに処理し、画像信号を生成する。具体的には、複数の第１の画素Ｐ１から得られた信号を処理することによって、画像信号Ｑ１を生成する。同様に、複数の第２の画素Ｐ２、複数の第３の画素Ｐ３、複数の第４の画素Ｐ４から得られた信号を処理し、画像信号Ｑ２、Ｑ３、Ｑ４を生成する。
【００６９】
このようにして得られた画像信号Ｑ１、Ｑ２、Ｑ３、Ｑ４は、１つのレンズ系によって撮影された同時刻における同じシーンの画像１、画像２、画像３、画像４を構成するが、画像１、画像２、画像３、画像４は異なる露光条件で撮影されている。このため、本実施形態によれば、光量の異なるより多くの露光条件で同一の画像を撮影でき、ＨＤＲ処理によって、広い明るさの範囲で、明部から暗部までが白とびや黒つぶれなく撮影された画像を得ることができる。
【００７０】
（第３の実施形態）
本発明による撮像装置の第３の実施形態を説明する。図８は、本実施形態の撮像装置を示す模式図である。本実施形態の撮像装置は、切り替え型の分割調光素子Ｗ、分割調光素子Ｗの駆動機構Ｕおよび駆動機構Ｕの動作を制御する制御部Ｖを備えている点で、第１の実施形態の撮像装置と異なる。このため、主としてこれらの第１の実施形態と異なる点を説明する。
【００７１】
本実施形態の切り替え型の分割調光素子Ｗは、少なくとも３つの透過部を有し、隣接する２つは互いに異なる透過率を有している。図９（ａ）は、分割調光素子Ｗの一例を示している。図９（ａ）に示す分割調光素子Ｗは８つの扇形の第１から第８の透過部ｗ１〜ｗ８を備えており、回転中心Ｓ０を中心と配置されている。第１から第８の透過部ｗ１〜ｗ８の透過率は、例えば隣接する透過部との境界を基準として、少なくとも隣接する透過部間で互いに異なっている。第１から第８の透過部ｗ１〜ｗ８は例えば、透過率の異なるＮＤフィルタによって構成することができる。
【００７２】
制御部Ｖからの信号に基づき、駆動機構Ｕは、分割調光素子Ｗを回転中心Ｓ０を中心に回転させ、隣り合う透過部の境界がレンズ光学系Ｌの光軸Ｖ０に重なる位置で分割調光素子Ｗの回転を止める。これによって、第１の光学領域Ｄ１および第２の光学領域Ｄ２に調光軸の方向が互いに異なる２つの透過部を配置することができ、第１の光学領域Ｄ１および第２の光学領域Ｄ２に位置する透過部を第１の調光部Ｗ１および第２の調光部Ｗ２として機能させることができる。また、第１の光学領域Ｄ１および第２の光学領域Ｄ２に配置する透過部を第１から第８の透過部ｗ１〜ｗ８から選択できるため、第１の調光部Ｗ１および第２の調光部Ｗ２の透過率を所定の組み合わせの中から任意に選択することができる。
【００７３】
このような構成によれば、被写体の撮影条件に応じて、調光部を選択することにより、第１の光学領域Ｄ１および第２の光学領域Ｄ２の調光軸の方向を切り替えることが可能となり、より広範な撮影環境に適応した、調光画像を撮影することが可能となる。
【００７４】
切り替え型の分割調光素子は図９（ａ）に示す構成に限られず、種々の改変が可能である。例えば、図９（ｂ）に示すように、第１から第７の透過部ｗ１〜ｗ７が１次元に配列され、駆動機構Ｕが配列方向に透過部を移動させてもよい。
【００７５】
（第４の実施形態）
本発明による撮像装置の第４の実施形態を説明する。本実施形態の撮像装置は、撮像素子がベイヤー配列でカラーフィルタが配列された画素配置を有するカラー撮像素子である点、および、アレイ状光学素子Ｋが第１の実施形態と異なる形状のレンチキュラレンズである点で第１の実施形態の撮像装置と異なる。このため、主としてこれらの第１の実施形態と異なる点を説明する。
【００７６】
ベイヤー配列のカラー撮像素子では、正方格子状に画素が配列されており、各画素のうち緑のカラーフィルタ（第１の分光透過特性および第２の分光透過特性）を有する画素が全画素の略半分の密度で斜め方向に互いに隣接して配置されている。赤および青のカラーフィルタ（第３の分光透過特性および第４の分光透過特性）を有する画素は、緑の半分の密度でそれぞれ均等に配置されている。より具体的には、緑の画素は各行および列（奇数列、偶数列および奇数行、偶数行）に存在するが、赤および青の画素は、奇数列あるいは偶数列のどちらか、および、奇数行あるいは偶数行のどちらかにしか存在しない。そのため、アレイ状光学素子Ｋが第１の実施形態と同じ構造を有している場合（レンチキュラレンズ）、第１の光学領域Ｄ１を透過した構成によって構成される画像および第２の光学領域Ｄ２を透過した光線によって構成される画像のうち、一方では青の情報が欠落し、他方では赤の情報が欠落している。
【００７７】
本実施形態では、ベイヤー配列のカラー撮像素子を用いた場合でも第１の実施形態と同様の効果を得るために、アレイ状光学素子Ｋの形状を工夫している。図１０は、本実施形態のアレイ状光学素子Ｋを像側からみた斜視図である。アレイ状光学素子Ｋは、光学要素として、水平方向（第１の方向）に延びるシリンドリカルレンズが垂直方向（第２の方向）に１次元に配列された複数の光学要素Ｍ１、Ｍ２を含む。複数の光学要素Ｍ１、Ｍ２はそれぞれ垂直方向に伸びる列を構成しており、光学要素Ｍ１の列および光学要素Ｍ２の列は水平方向に交互に配置されている。水平方向に隣接する光学要素Ｍ１の列と光学要素Ｍ２の列において、一方の列の各光学要素は、他方の列の対応する光学要素に対して、垂直方向の配列周期の１／２の長さだけ垂直方向にシフトしている。
【００７８】
各光学要素Ｍ１、Ｍ２は、撮像素子の撮像面を構成しているベイヤー配列された赤、青、緑のフィルタを有する４つの画素に対応しており、対応する位置にある４つの画素にレンズ光学系Ｌを透過した光を入射させる。つまり、各光学要素Ｍ１、Ｍ２のレンズ面であるシリンドリカル面は垂直方向および水平方向において、撮像素子Ｎの画素に２画素分の周期を有する。したがって、水平方向に隣接する２つの光学要素Ｍ１の列および光学要素Ｍ２の列において、一方の列の各光学要素は、他方の列の対応する光学要素に対して、１画素分だけ垂直方向にシフトしている。
【００７９】
第１の実施形態と同様、光学要素Ｍ１、Ｍ２であるレンチキュラレンズの作用により、第１の光学領域Ｄ１および第２の光学領域Ｄ２を透過した光線は、それぞれ別の画素に入射する。光学要素Ｍ１の列と光学要素Ｍ２の列とでは、光学要素の位置が垂直方向に半周期シフトしているため、第１の光学領域Ｄ１および第２の光学領域Ｄ２からの光線は２画素おきに奇数行と偶数行が入れ替わって撮像素子の画素に入射する。
【００８０】
図１１（ａ）および（ｂ）は本実施形態における撮像素子Ｎの撮像面Ｎｉに入射する光を説明する模式図である。図１１（ａ）および（ｂ）では、分かりやすさのため、第１の光学領域Ｄ１を透過した光線が導かれる画素を図１１（ａ）に示し、第２の光学領域Ｄ２を透過した光線が導かれる画素を図１１（ｂ）に示している。
【００８１】
これらの図に示すように、光学要素Ｍ１の列では、光学要素Ｍ１は、第１の光学領域Ｄ１からの光線を、緑（Ｇ１）の画素Ｐ１Ａおよび赤色（Ｒ）の画素Ｐ３Ａへ導き、第２の光学領域Ｄ２からの光線を、緑（Ｇ２）の画素Ｐ２Ｂおよび青色の画素Ｐ４Ｂへ導く。光学要素Ｍ２の列では、光学要素Ｍ２は、第１の光学領域Ｄ１からの光線を、緑（Ｇ２）の画素Ｐ２Ａおよび青色（Ｂ）の画素Ｐ４Ａへ導き、第２の光学領域Ｄ２からの光線を、緑（Ｇ１）の画素Ｐ１Ｂおよび赤色（Ｒ）の画素Ｐ３Ｂへと導く。
【００８２】
信号処理部Ｃは、撮像素子Ｎから、第１の光学領域Ｄ１からの光線が入射した画素（図１１（ａ））による信号と、第２の光学領域Ｄ２からの光線が入射した画素（図１１（ｂ））による信号とに分け、別々に処理することによって、それぞれ画像を構成する。第１の光学領域Ｄ１からの光線が入射した画素（図１１（ａ））による信号および第２の光学領域Ｄ２からの光線が入射した画素（図１１（ｂ））による信号には、それぞれ、赤、青、緑の画素からの信号が含まれるため、露光条件の異なる２つのカラー画像を取得することが可能となる。したがって、良好なハイダイナミックレンジ合成画像を生成できる。
【００８３】
なお、図１１（ａ）および（ｂ）から分かるように、第１の光学領域Ｄ１からの光線が入射した画素（図１１（ａ））のうち、光学要素Ｍ１によって導かれる光線は、緑（Ｇ２）の画素Ｐ２Ａおよび青色（Ｂ）の画素Ｐ４Ａの画素へは入射しない。同様に、光学要素Ｍ２の列によって導かれる光線は、緑（Ｇ１）の画素Ｐ１Ａおよび赤色（Ｒ）の画素Ｐ３Ａの画素へは入射しない。したがって、信号処理部Ｃにおいて、第１の光学領域Ｄ１からの光線が入射した画素（図１１（ａ））による信号を処理する場合、光学要素Ｍ１の列における４つ画素のうち、欠けている画素の信号を、隣接する光学要素Ｍ２の列における画素による信号を用いて補間してもよい。同様に、第２の光学領域Ｄ２からの光線が入射した画素（図１１（ｂ））による信号を処理する場合、光学要素Ｍ１の列における４つ画素のうち、欠けている画素の信号を、隣接する光学要素Ｍ２の列における画素による信号を用いて補間してもよい。
【００８４】
また、本実施形態では、撮像素子はベイヤー配列のカラー撮像素子であるが、４つの画素において、緑のフィルタを有する画素は例えば、垂直方向に隣接していてもよい。また、撮像素子は、赤、青、緑のフィルタを有する画素を含んでいるが、これらの色の替わりにこれらの色の補色のフィルタを有する画素を含んでいてもよい。また、撮像素子は、４つの画素において、例えば、赤、青、緑、白、あるいは、赤、青、緑、黄などの組み合わせのフィルタが設けられていてもよい。
【００８５】
（第５の実施形態）
本発明によるデジタルカメラの実施形態を説明する。
【００８６】
図１２（ａ）および（ｂ）は、本発明によるデジタルカメラの実施形態を示す正面図および背面図である。図１２（ａ）および（ｂ）に示すデジタルカメラＲは、撮像装置Ａと、画像表示部Ｒ１と、シャッターボタンＲ２と本体操作ボタンＲ３、カメラ制御部Ｒ４（図示せず）、メモリＲ５（図示せず）を備える。
【００８７】
図１３は、図１２に示したデジタルカメラＲの内部構成を示すブロック図である。撮像装置Ａには、第１から第４の実施形態の撮像装置のいずれを用いることも可能であり、図１３では第１の実施形態の撮像装置を示している。
【００８８】
撮影者は、本体操作ボタンＲ３を操作して、ハイダイナミックレンジ撮影を行う設定を行う。これにより、カメラ制御部Ｒ４は撮像装置Ａの制御部Ｖに信号を送り、第１の実施形態で説明した動作により第１の光学領域Ｄ１および第２の光学領域Ｄ２の透過率を調節する。
【００８９】
シャッターボタンＲ２の押下動作により、カメラ制御部Ｒ４は撮像装置Ａの信号処理部Ｃから露光条件の異なる撮影画像Ｑ１およびＱ２を取得する。カメラ制御部Ｒ４は取得したＱ１、Ｑ２の画像を用いて、ハイダイナミックレンジ合成画像Ｑ’を生成する。
【００９０】
カメラ制御部Ｒ４は、生成したハイダイナミックレンジ合成画像Ｑ’を、画像保存部であるメモリＲ５に転送すると共に、画像表示部Ｒ１に表示する。
【００９１】
撮影者は、画像表示部Ｒ１に表示された画像を確認し、撮影画像の保存、あるいは消去、あるいは撮影条件の再設定を本体操作ボタンＲ３から指示する。
【００９２】
本実施形態によれば、ハイダイナミックレンジ合成画像Ｑを取得できるデジタルカメラが実現する。
【００９３】
なお、本実施形態では、カメラ制御部Ｒ４、撮像装置Ａの信号処理部Ｃおよび制御部Ｖは別の構成であると示しているが、これらの機能を１つの情報処部によって構成してもよい。
【００９４】
また、本実施形態では、メモリＲ５はデジタルカメラ本体内に内蔵されているが、必ずしもこれに限定されない。メモリを備える代わりに、有線あるいは無線の通信手段を有し、ハイダイナミックレンジ合成画像Ｑを伝送し、伝送先で保存してもよい。
【００９５】
また、デジタルカメラを例として本実施形態を説明したが、ビデオカメラ、携帯電話、携帯情報端末なども、本実施形態と同様の構成によって実現することができる。
【００９６】
（その他の実施の形態）
上述の実施形態において、レンズ光学系Ｌは単レンズとして説明しているが、レンズ光学系は複数枚のレンズから構成される組レンズを含んでいてもよい。組レンズを用いることにより、光学設計の自由度が高まるため、高解像度の画像を取得できるという利点がある。
【００９７】
また、アレイ状光学素子が良好に光線分離を行うためには、レンズ光学系は像側にテレセントリック性を有していてもよい。しかし、レンズ光学系が像側にテレセントリック性を有さない場合にも、撮像素子前面に配置したレンチキュラレンズやマイクロレンズアレイなどのアレイ状光学素子の周期を、レンズ光学系の軸外主光線射出角に応じて適宜調節することで、良好な光線分離効果を発揮させることが可能である。
【００９８】
また、分割調光素子の調光部における光透過率は均一でなくてもよい。具体的には、調光部ごとに所定の波長域の光量に差がある形態であってもよい。これは、所定の波長域の光が特に強いような撮影状況、あるいは所定の波長域の光が他の波長域に比べて微弱な撮影状況において有効である。
【００９９】
また、分割調光素子として、エレクトロクロミック（ＥＣ）効果を用いた調光素子を用いてもよい。エレクトロクロミック効果の調光素子は、電圧の印加により透過率を変更することが可能なため、第１の実施形実施で説明した液晶素子と同様の効果を有する。
【０１００】
また、分割調光素子は、その調光機能を必ずしもすべての分割領域に備える必要はなく、少なくとも1箇所の領域の調光機能を有するだけでも本願で説明した機能を発揮することは可能である。
【０１０１】
また、本実施形態では、撮像装置は、信号処理部Ｃを備えているが、本発明の撮像装置はこれを備えていなくてもよい。この場合、撮像素子からの出力信号をパーソナルコンピューターなどの外部機器に送信し、外部機器側で信号処理部Ｃにて行う演算を行ってもよい。即ち、本発明は、レンズ光学系Ｌ、アレイ状光学素子Ｋおよび撮像素子Ｎを備える撮像装置と、外部の信号処理装置とを備えるシステムによって実現してもよい。
【産業上の利用可能性】
【０１０２】
本願に開示された撮像装置は、デジタルスチルカメラ、デジタルビデオカメラ、携帯端末等に用いる撮像装置のほか、監視カメラ、ロボット等の画像入力用カメラ、車載カメラ等の産業用カメラの撮像装置として好適に用いられ得る。
【符号の説明】
【０１０３】
Ａ                          撮像装置
Ｌ                          レンズ光学系
Ｌ１                        対物レンズ
Ｖ０                        光軸
Ｄ１、Ｄ２、Ｄ３、Ｄ４      第１、第２、第３、第４の光学領域
Ｓ                          絞り
Ｗ                          分割調光素子
Ｋ                          アレイ状光学素子
Ｍ、Ｍ１、Ｍ２                          光学要素
Ｎ                          撮像素子
Ｎｉ                        撮像面
Ｍｓ                        マイクロレンズ
Ｃ                          信号処理部
Ｖ                          制御部
Ｕ                          駆動機構
ＥＣ                        共通透明電極
ＥＤ１、ＥＤ２、ＥＤ３、ＥＤ４  分割透明電極
ＬＣ                        液晶層
ＰＬ１、ＰＬ２              偏光板
ＳＢ１、ＳＢ２              基板
Ｈ１、Ｈ２                  ガラス基板
Ｊ                          シール材
Ｔ１、Ｔ２                  配向膜
Ｐ１〜Ｐ４                  画素
Ｐ１Ａ〜Ｐ４Ａ              画素
Ｐ１Ｂ〜Ｐ４Ｂ              画素
Ｒ                          デジタルカメラ
Ｒ１                        画像表示部
Ｒ２                        シャッターボタン
Ｒ３                        本体操作ボタン
Ｒ４                        カメラ制御部
【図１】
0005891403.tif 000002
【図２】
0005891403.tif 000003
【図３】
0005891403.tif 000004
【図４】
0005891403.tif 000005
【図５】
0005891403.tif 000006
【図６】
0005891403.tif 000007
【図７】
0005891403.tif 000008
【図８】
0005891403.tif 000009
【図９】
0005891403.tif 000010
【図１０】
0005891403.tif 000011
【図１１】
0005891403.tif 000012
【図１２】
0005891403.tif 000013
【図１３】
0005891403.tif 000014